(57)【要約】      （修正有）【課題】敷マットにおいて、段差のないバリアフリーと、設置面の状態に合わせた底面の密着性と、設置者が希望する形や大きさを実現する。【解決手段】柔軟性を有するシート状の敷部材１の表面の周縁部に面ファスナー雄部材２を固定し、柔軟性と弾力性を有したマット本体３の底面を面ファスナー雄部材２に係止自在に固定させる。さらに面ファスナー雄部材２を縦又は横に少なくとも１本以上設けてもよい。また、面ファスナー雄部材２が固定されていない敷部材１表面にマット本体３の横ずれを防止するための滑り止め４を設けてもよい。【選択図】図３
0003136772.tif 000002
【実用新案登録請求の範囲】
【請求項１】
柔軟性を有するシート状の敷部材（１）と、該敷部材（１）表面の少なくとも周縁部の少し内側部分に設けられた面ファスナー雄部材（２）と、柔軟性と弾力性を有し前記面ファスナー雄部材（２）により底面を係止自在に固定可能であるマット本体（３）とから構成され、マット本体（３）が敷部材（１）よりやや小さく形成されていることを特徴とする敷マット。
【請求項２】
柔軟性を有するシート状の敷部材（１）と、該敷部材（１）表面の少なくとも周縁部の少し内側部分に設けられた面ファスナー雄部材（２）と、柔軟性と弾力性を有し前記面ファスナー雄部材（２）により底面を係止自在に固定可能であるマット本体（３）とから構成され、面ファスナー雄部材（２）が固定されていない敷部材（１）表面にマット本体（３）の横ずれを防止するための滑り止め（４）を有し、マット本体（３）が敷部材（１）よりやや小さく形成されていることを特徴とする敷マット。
【請求項３】
柔軟性を有するシート状の敷部材（１）と、該敷部材（１）表面の周縁部の少し内側部分に設けられた面ファスナー雄部材（２）と、前記面ファスナー雄部材（２）の内側に少なくとも１本以上縦又は横に設けられた面ファスナー雄部材（２）と、柔軟性と弾力性を有し前記面ファスナー雄部材（２）により底面を係止自在に固定可能であるマット本体（３）とから構成され、マット本体（３）が敷部材（１）よりやや小さく形成されていることを特徴とする敷マット。
【請求項４】
柔軟性を有するシート状の敷部材（１）と、該敷部材（１）表面の周縁部の少し内側部分に設けられた面ファスナー雄部材（２）と、前記面ファスナー雄部材（２）の内側に少なくとも１本以上縦又は横に設けられた面ファスナー雄部材（２）と、柔軟性と弾力性を有し前記面ファスナー雄部材（２）により底面を係止自在に固定可能であるマット本体（３）とから構成され、面ファスナー雄部材（２）が設けられていない敷部材（１）表面にマット本体（３）の横ずれを防止するための滑り止め（４）を有し、マット本体（３）が敷部材（１）よりやや小さく形成されていることを特徴とする敷マット。
【請求項５】
少なくとも敷部材（１）とマット本体（３）が自由な形状にカッティング可能であることを特徴とする請求項１、２、３又は４記載の敷マット。
【考案の詳細な説明】
【技術分野】
【０００１】  本考案は、玄関や部屋等の出入り口、試着室の床、その他の場所に置いて使用するものであり、非常に薄くすることができ、汚れた場合はマット本体を新しいものと交換可能な敷マットに関するものである。
【背景技術】
【０００２】  従来の敷マットは、たとえば特開平０７−０８８０７５号公報「玄関マット」のように、厚みのある枠縁を有する四角いマット受け皿１２の皿の内側にマット本体１４を入れた構造である。添付した図５は、従来の敷マットの断面構造をあらわしたものである。図中２１はマット受け皿であり、図中２２はマット本体である。マット受け皿２１は型を用いてゴムを成型加工している。マット本体２２はマット受け皿２１の皿の内側に装着して使用する。枠縁の内側には高い壁が形成される。
【特許文献１】  特開平０７−０８８０７５号公報
【考案の開示】
【考案が解決しようとする課題】
【０００３】  上記したマット受け皿とマット本体から成る従来のマットは、マット受け皿の枠縁の部分に厚みがあるため、設置面から枠縁のトップの高さまでの段差がある。枠縁を踏むと足裏に違和感を生じ、足は設置面側に傾き、体が不安定となり、転倒する危険性がある。マット受け皿の枠縁の段差があることにより、足や杖が引掛かり転倒する危険がある。マット受け皿の段差に足を引っ掛けたり車輪が衝突したときの衝撃はかなり大きい。走って敷マットに足を引っ掛けて怪我をする危険もある。救急で搬送されてきたベッドが従来の敷マットに衝突すれば患者に大きな衝撃を与えて危険である。衝突の衝撃でマット全体がずれて移動することがある。車付き点滴台がマットの縁にぶつかれば、点滴台が転倒する危険があり、患者も一緒に転倒することも考えられる。車椅子やベッドの車輪がマットの縁にぶつかれば衝撃とともに停止してしまい、前進できなくなる恐れがある。体力的に弱い人は、車を押してマット受け皿の段差を乗り越えることができない。枠部分に傾斜を設けても段差がなくなるわけではないので、問題の解決にはならない。車輪が枠縁を越えることができても、車がマット本体に沈んで枠縁の垂直の段差に阻まれるため、枠縁の中から車輪を外に出しにくい。【０００４】  マット受け皿に枠縁が形成されているので曲げに対する強度が高く変形しにくい。巻き取ることも曲げることも困難である。設置面がドア等の段差部分であったりアーチ等の曲面であったりした場合、その設置面の状態に合わせて変形しにくいので、マット受け皿の底面が設置面に密着せずに浮いてしまいやすい。マット受け皿が設置面から浮いた状態は機能的にも安全面でも問題である。設置面から浮いている部分の敷マットはマットとして十分機能できない。設置面の段差の形が敷マットに隠されてしまうため非常に危険である。敷マットが設置面に密着せずぼこっと浮き上がって見えるのは、非常に美観を損ねる。【０００５】  マット受け皿の形と大きさはメーカー側で決定し、形は四角形がほとんどである。設置者は設置場所に合う敷マットを探して選ぶ。しかし、メーカーが作った敷マットに設置者が希望する形と大きさのものがない場合もある。従来の敷マットはゴムを型で成型してマット受け皿を製造しているので、個々の設置者が希望する形と大きさの敷マットを提供することができなかった。また、設置者自身が敷マットを希望する形や大きさに変えることはできなかった。【０００６】  本考案は、上記の問題点を解決した敷マットを提供することを目的とする。
【課題を解決するための手段】
【０００７】  請求項１記載の本考案は、柔軟性を有するシート状の敷部材と、該敷部材表面の少なくとも周縁部の少し内側部分に設けられた面ファスナー雄部材と、柔軟性と弾力性を有し前記面ファスナー雄部材により底面を係止自在に固定可能であるマット本体とから構成され、マット本体が敷部材よりやや小さく形成されていることを特徴とする。【０００８】  請求項２記載の本考案は、柔軟性を有するシート状の敷部材と、該敷部材表面の少なくとも周縁部の少し内側部分に設けられた面ファスナー雄部材と、柔軟性と弾力性を有し前記面ファスナー雄部材により底面を係止自在に固定可能であるマット本体とから構成され、面ファスナー雄部材が固定されていない敷部材表面にマット本体の横ずれを防止するための滑り止めを有し、マット本体が敷部材よりやや小さく形成されていることを特徴とする。【０００９】  請求項３記載の本考案は、柔軟性を有するシート状の敷部材と、該敷部材表面の周縁部の少し内側部分に設けられた面ファスナー雄部材と、前記面ファスナー雄部材の内側に少なくとも１本以上縦又は横に設けられた面ファスナー雄部材と、柔軟性と弾力性を有し前記面ファスナー雄部材により底面を係止自在に固定可能であるマット本体とから構成され、マット本体が敷部材よりやや小さく形成されていることを特徴とする。【００１０】  請求項４記載の本考案は、柔軟性を有するシート状の敷部材と、該敷部材表面の周縁部の少し内側部分に設けられた面ファスナー雄部材と、前記面ファスナー雄部材の内側に少なくとも１本以上縦又は横に設けられた面ファスナー雄部材と、柔軟性と弾力性を有し前記面ファスナー雄部材により底面を係止自在に固定可能であるマット本体とから構成され、面ファスナー雄部材が設けられていない敷部材表面にマット本体の横ずれを防止するための滑り止めを有し、マット本体が敷部材よりやや小さく形成されていることを特徴とする。【００１１】  請求項５記載の本考案は、前記請求項１、２、３又は４記載の敷マットにおいて、少なくとも敷部材とマット本体が自由な形状にカッティング可能であることを特徴とする。
【考案の効果】
【００１２】  上記した本考案の敷マットによれば、従来あった枠縁の段差がなくなるため、非常に薄くなり、設置面とほとんど同じになってしまう。足やタイヤで踏まれるとマット本体は柔軟性と弾力性があるため圧縮されて敷部材程度の厚みになる。マット本体の側面から足先やタイヤが当たっても、マット本地に柔軟性と弾力性があるため、衝撃も引っ掛かりも起きない。マット本体の厚みはバリアフリーの障害にはならない。マット本体が敷部材よりやや小さく形成されているため、マット本体の縁を敷部材の縁より内側に固定でき、それによりマット本体の側部を十分に保護することができる。敷部材の縁を踏んでも足裏に違和感がなく、足が傾くことも体が不安定になることもなく、きわめて安全性が高い。車椅子やベッドや家具等の車輪は、枠縁の障害がないので敷マットの敷部材の縁をスムーズに通過し、マット本体を極薄状態に圧縮しつつ進行し、やはり枠縁の障害がないので反対側の敷部材の縁からスムーズに出ることができる。【００１３】  敷部材は柔軟性があって枠縁がないため、設置面がドア等の段差部分であったりアーチ等の曲面であっても、その設置面の状態に合わせて変形しやすく、敷部材の底面を設置面に密着させることができる。設置面の段差やアーチが敷マットの上からもわかるため安全性が高い。敷マットが設置面に密着するので、美観を損ねることがない。【００１４】  敷部材は、材料である柔軟性を有したシートをカッティングすることで、希望する形と大きさのものを簡単に得ることができる。型による成型は不要である。設置場所に合う形と大きさにカッティングするだけで敷部材を得ることができる。この敷部材に合わせてカッティングしてマット本体とする。これによって、設置者の希望する形と大きさの敷マットを容易に提供することができる。また、設置者自身が敷部材とマット本体をカッティングして希望する形や大きさにすることも可能である。敷部材に枠縁がないためカッティングが容易である。
【考案を実施するための最良の形態】
【００１５】  以下、本考案の実施の形態を図面に基づいて説明するが、本考案がこれにのみ限定されるべきでないことはいうまでもない。【００１６】  図中１は、柔軟性を有するシート状の敷部材である。敷部材１としてゴムシートを用いることができる。図中２は、敷部材１表面の少なくとも周縁部に設けられた面ファスナー雄部材２である。図中３は、柔軟性と弾力性を有し前記面ファスナー雄部材２により底面を係止自在に固定可能であるマット本体である。マット本体３は、汚れを付着させて落とすことが主な目的であるが、例えば抗菌・除菌や吸油等の設置目的に応じたものを用いることができる。マット本体３は敷部材１よりやや小さく形成され、マット本体３の縁が敷部材１の縁より内側になるよう固定する。図中４はマット本体３の横ずれを防止するための滑り止めである。滑り止め４には、サンドペーパー、カーボン砂、鉄砂、摩擦係数の高いゴムやウレタンやスポンジ、その他様々なものを使用可能であるが、本実施形態ではサンドペーパーを用いている。【００１７】  本考案の敷マットには、マット本体３を敷部材１の周縁部に設けられた面ファスナー雄部材２に係止自在に固定するタイプと（図４参照。）、敷部材１の面ファスナー雄部材２のない内側に滑り止め４を有しマット本体３を敷部材１の周縁部に設けられた面ファスナー雄部材２に係止自在に固定するタイプと（図５参照。）、マット本体３を敷部材１の周縁部に設けられた面ファスナー雄部材２と敷部材１の周縁部の内側に少なくとも１本以上縦又は横に設けられた面ファスナー雄部材２に係止自在に固定するタイプと（図６参照。）、敷部材１の面ファスナー雄部材２のない内側に滑り止め４を有しマット本体３を敷部材１の周縁部に設けられた面ファスナー雄部材２と敷部材１の周縁部の内側に少なくとも１本以上縦又は横に設けられた面ファスナー雄部材２に係止自在に固定するタイプ（図７参照。）がある。【００１８】  図９の敷部材１は図４の敷部材１をカッティングしたものである。図示しないが、図５、図６、図７の敷部材１も同様にカッティングすることができる。図９では敷部材１のニ箇所の角をカッティングしたが、これは設置場所の形に応じて行なう。マット本体３も敷部材１と同じ部分をカッティングして敷部材１に固定する（図１０参照。）。【００１９】  マット本体３が汚れたら場合は面ファスナー雄部材２から外して新しいマット本体３と交換する。汚れたマット本体３は燃料又は焼却処分が基本であるが、クリーニングをして再使用が可能な場合もある。
【図面の簡単な説明】
【００２０】
【図１】敷マットの一例をあらわす側面図。
【図２】敷マットの縁の部分の断面図。
【図３】敷マットの縁の部分の断面図。
【図４】周縁に面ファスナーを固定した敷部材をあらわす平面図。
【図５】周縁に面ファスナーを固定し滑り止めを有した敷部材をあらわす平面図。
【図６】周縁と横一本の面ファスナーを固定した敷部材をあらわす平面図。
【図７】周縁と横一本の面ファスナーを固定し滑り止めを有した敷部材をあらわす平面図。
【図８】マット本体を固定した状態の敷マットをあらわす平面図。
【図９】二箇所の角をカッティングして周縁に面ファスナーを固定した敷部材をあらわす平面図。
【図１０】二箇所の角をカッティングしたマット本体を係止した状態の敷マットをあらわす平面図。
【符号の説明】
【００２１】１    敷部材
２    面ファスナー雄部材
３    マット本体
４    滑り止め
【図１】
0003136772.tif 000003
【図２】
0003136772.tif 000004
【図３】
0003136772.tif 000005
【図４】
0003136772.tif 000006
【図５】
0003136772.tif 000007
【図６】
0003136772.tif 000008
【図７】
0003136772.tif 000009
【図８】
0003136772.tif 000010
【図９】
0003136772.tif 000011
【図１０】
0003136772.tif 000012